(57)【特許請求の範囲】
【請求項１】
槽に接続される捕虫装置であって、
液体が提供される捕獲領域を有する液体システムと、
入口が前記槽に接続されているとともに、出口から前記捕獲領域に向けて前記槽内の虫が案内されるガイド管と、
流体機械を有し、前記虫が前記液体に接するように前記ガイド管内の気体を前記捕獲領域に向けて推進させるための気体システムと、
を備え、
前記液体システムは、前記捕獲領域からの前記液体の少なくとも一部が前記槽へ排出される排出経路を有する、
捕虫装置。
【請求項２】
前記液体システムは、前記液体を少なくとも一時的に貯める槽、前記液体が流れる流体部材、及び、散布状態又はミスト状態で前記液体が提供されるチャンバーの少なくとも１つを有し、
前記捕獲領域は、前記槽内の液層、前記流体部材における液層、及び前記チャンバー内の空間の少なくとも一部を含む、
請求項１に記載の捕虫装置。
【請求項３】
前記気体システムは、吸引作用を提供するエジェクタを有する、請求項１又は２に記載の捕虫装置。
【請求項４】
液体が提供される捕獲領域を用意することと、
入口が槽に接続されているとともに、出口から前記捕獲領域に向けて前記槽内の虫を案内するためのガイド管を用意することと、
前記虫が前記液体に接するように前記ガイド管内の気体を前記捕獲領域に向けて推進させることと、
前記捕獲領域からの前記液体の少なくとも一部を前記槽へ排出することと、
を含む、捕虫方法。
【請求項５】
下水道処理に使用される槽と、
液体が提供される捕獲領域を有する液体システムと、
入口が前記槽に接続されているとともに、出口から前記捕獲領域に向けて前記槽内及び前記槽周辺の少なくとも一部の虫が案内されるガイド管と、
流体機械を有し、前記虫が前記液体に接するように前記ガイド管内の気体を前記捕獲領域に向けて推進させるための気体システムと、
を備え、
前記液体システムは、前記捕獲領域からの前記液体の少なくとも一部が前記槽へ排出される排出経路を有する、
下水道処理システム。
【発明の詳細な説明】
【技術分野】
【０００１】
本発明は、捕虫装置、捕虫方法及び下水道処理システムに関する。
【背景技術】
【０００２】
従来より、排気ファンの駆動によって虫を吸引して捕獲する技術が知られている（例えば、特許文献１参照）。
【特許文献１】特開２０１０−１４２２０６号公報
【発明の概要】
【発明が解決しようとする課題】
【０００３】
従来のファン式捕虫装置では、吸引した虫を網で捕獲するため、時間の経過とともに捕獲された虫が網に溜まる。そのため、定期的に網の交換や清掃などのメンテナンスが必要となる。
【０００４】
また、捕虫装置は、暗所などの作業性の悪い場所に設置されているケースが多く、作業員の作業環境を改善するために、よりメンテナンスが容易な捕虫装置が求められている。
【０００５】
本発明は、メンテナンス性に優れ、安定的に捕獲性能を維持可能な捕虫装置及び捕虫方法を提供することを目的とする。
【課題を解決するための手段】
【０００６】
本発明の一態様によれば、液体が提供される捕獲領域を有する液体システムと、前記捕獲領域に向けて前記虫が案内されるガイド管と、流体機械を有し、前記虫が前記液体に接するように前記ガイド管内の気体を前記捕獲領域に向けて推進させるための気体システムと、を備える、捕虫装置が提供される。
【０００７】
本発明の別の態様によれば、液体が提供される捕獲領域を用意することと、虫を案内するためのガイド管を用意することと、前記虫が前記液体に接するように前記ガイド管内の気体を前記捕獲領域に向けて推進させることと、を含む、捕虫方法が提供される。
【０００８】
本発明のさらに別の態様によれば、下水道処理に使用される槽と、液体が提供される捕獲領域を有する液体システムと、前記槽内及び前記槽周辺の少なくとも一部の虫が前記捕獲領域に向けて案内されるガイド管と、流体機械を有し、前記虫が前記液体に接するように前記ガイド管内の気体を前記捕獲領域に向けて推進させるための気体システムと、を備える、下水道処理システムが提供される。
【発明の効果】
【０００９】
本発明の態様によれば、液体が提供される捕獲領域で虫を捕獲する捕虫装置が提供される。この捕虫装置は、メンテナンス性に優れ、安定的に捕獲性能を維持可能である。
【図面の簡単な説明】
【００１０】
【図１】本発明の第１実施形態に係る捕虫装置の概略図である。
【図２】本発明の第２実施形態に係る捕虫装置の概略図である。
【図３】本発明の第３実施形態に係る捕虫装置の概略図である。
【図４】本発明の第４実施形態に係る捕虫装置の概略図である。
【図５】本発明の第５実施形態に係る捕虫装置の概略図である。
【図６】本発明の第６実施形態に係る捕虫装置の概略図である。
【図７】エジェクタ構造の一例を示す概略図である。
【発明を実施するための形態】
【００１１】
本発明の第１実施形態に係る捕虫装置について、図１を参照して説明する。図１は、捕虫装置１０の概略図である。
【００１２】
捕虫装置１０は、液体が提供される捕獲領域に向けて虫を案内するためのガイド管（虫ガイド）２０と、その捕獲領域を有する液体システム３０と、流体機械（気体機械、気体供給機構）を有し虫が液体に接するようにガイド管２０内の気体を捕獲領域に向けて推進させるための気体システム４０とを備える。液体システム４０は、液体を少なくとも一時的に貯める槽、液体が流れる流体部材、及び、散布状態又はミスト状態で液体が提供されるチャンバーの少なくとも１つを有する。捕獲領域は、槽内の液層、流体部材の液層、及びチャンバー内の空間の少なくとも一部を含む。
【００１３】
捕獲対象の虫としては、主に、飛ぶ虫が挙げられる。また、ガイド管２０で案内可能であれば、飛ばない虫も捕獲対象にできる。
【００１４】
図１に示すように、本実施形態において、ガイド管２０は、ガイド管２０の入口２１から侵入した虫が通過可能な案内路（流路）２２を有する。一例において、案内路２２の大部分は、実質的な曲げ部無しで水平方向に延在する。代替的及び／又は追加的に、案内路２２は、実質的な曲げ部、分岐路、及び／又は流路断面積（内径）の変化を有することができる。案内路２２の長さ、形状、延在方向、流路断面積等は適宜設定される。ガイド管２０の入口２１は、所定空間における収集ターゲット位置付近においてターゲット領域に面するように配置される。ガイド管２０の出口２３は、チャンバー３１内の液体の表面に面して配される。また、出口２３付近におけるガイド管２０の軸方向（気体排出方向）は、液面と交差する。その交差角度は、実質的に直角又は直角以外の角度にできる。また、ガイド管２０は、入口２１及び／又は出口２３が軸方向及び／又は軸方向と交差する方向に動く構成を有してよい。
【００１５】
ガイド管２０の案内路２２を通過した虫は、ガイド管２０の出口２３から出て、液体システム３０のチャンバー３１内へ入る。一例において、ガイド管２０の一部がチャンバー３１に接続され、ガイド管２０の出口２３がチャンバー３１の内部空間に配される。一例において、ガイド管２０は、液体システム３０のチャンバー３１に設けられた開口部を通ってチャンバー３１の内部に水平方向に延びている。ガイド管２０は、チャンバー３１内で水平方向に延びた後、出口２３より内側にて垂直方向の下向きに屈曲して形成されている。一例において、ガイド管２０の入口２１の近傍には、光によって虫を集めやすくするための誘虫装置（例えば誘虫灯）２５が設置されている。他の例において、ガイド管２０の入口２１の近傍に、虫を誘導するための別の装置（例えば、匂い、フェロモン、又は音などを使って虫を誘う装置）を設けることができる。
【００１６】
本実施形態において、液体システム３０は、チャンバー３１と、液体を少なくとも一時的に貯めることができる槽３３と、チャンバー３１及び／又は槽３３に液体を供給可能な給液経路３５と、チャンバー３１及び／又は槽３３に貯まった液体を排出可能な排出経路３７と、チャンバー３１内の気体を排気可能な排気経路３９とを備える。
【００１７】
本実施形態において、チャンバー３１は、壁面によって周囲と隔離された空間を形成する筐体構造を有する。チャンバー３１内に、後述する捕獲領域５０が形成される。一例において、槽３３は、チャンバー３１の内部に設けられている。槽３３は、垂直方向の下向きに形成されたガイド管２０の出口２３の近傍に設置される。なお、給液経路３５から供給される液体をチャンバー３１のみで貯めることによって、捕獲領域５０を形成することもできる。その場合には、槽３３を省略してもよい。
【００１８】
本実施形態において、給液経路３５は、チャンバー３１及び／又は槽３３に液体を供給し、チャンバー３１内にて、ガイド管２０の出口２３から出た虫を捕獲する捕獲領域５０（液層、液部、液面）の少なくとも一部を形成する。一例において、給液経路３５から供給される液体は、通常の水である。他の例において、液体は、添加物が付加された水や薬液（例えば、虫の活動を鈍らせる作用を有する物質を含む液体）など、水以外の液体にできる。また、液体は、常温に限らず、比較的高温又は比較的低温に設定できる。すなわち、給液経路３５から供給される液体は、温度管理された水や薬液であってもよい。
【００１９】
一例において、給液経路３５は、液体を用いてチャンバー３１や槽３３などを清掃する機構を有することができる。代替的及び／又は追加的に、給液経路３５は、散液機構を有することができる。例えば、供給経路３５は、虫に向けて液体を散液する機構を有してもよい。あるいは、給液経路３５は、スプレー式で間欠的に液体を噴出しながら、チャンバー３１や槽３３内の清掃をおこなったり、虫の捕獲の補助をおこなったりしてもよい。
【００２０】
一例において、給液経路３５は、液体をミストの状態で供給する機構を有することができる。例えば、給液経路３５は、供給する液体をミストの状態で供給することにより、チャンバー３１内を液体のミストで充満させることができる。
【００２１】
本実施形態において、排出経路３７は、チャンバー３１及び／又は槽３３内に貯まった液体を、捕獲された虫とともに排出するように構成される。排出経路３７は、チャンバー３１の下部に設けられている。
【００２２】
一例において、給液経路３５からの液体供給と、排出経路３７からの液体及び捕獲した虫の排出とは、同じタイミングで行なわれてもよいし、異なるタイミングで行われてもよい。給液経路３５からの液体供給と、排出経路３７からの液体及び捕獲した虫の排出とは、同時に行なわれてもよい。給液経路３５からの液体供給が行われている間に、排出経路３７からの液体及び捕獲した虫の排出は、行なわれなくてもよい。排出経路３７からの液体及び捕獲した虫の排出が行われている間に、給液経路３５からの液体供給が行なわれなくてもよい。また、給液経路３５からの液体供給量と、排出経路３７からの液体及び捕獲した虫の排出量は、同じであってもよいし、異なってもよい。なお、捕獲領域５０の形態（例えば、図１〜５参照）に応じて、給液経路３５からの液体供給のタイミングと供給量と、排出経路３７からの液体及び捕獲した虫の排出のタイミングと排出量とを、適宜調整することができる。
【００２３】
本実施形態において、排気経路３９は、チャンバー３１内の排気を行うように、チャンバー３１に設けられた開口部付近においてチャンバー３１に接続されている。一例において、排気経路３９は、チャンバー３１の上部から排気するように設けられる。代替的及び／又は追加的に、排気経路３９は、チャンバー３１の上部以外の位置に設けられる。
【００２４】
本実施形態において、気体システム４０は、ファンや、ブロアなどの流体機械４１を有し、ガイド管２０内の気体とともに虫を捕獲領域５０に向けて推進させる。一例において、流体機械４１の作動部は、ガイド管２０の入口２１と出口２３の間に配されて、入口２１側の気体を出口２３側へと移動させる。代替的及び／又は追加的に、流体機械４１の作動部は、ガイド管２０の入口３２側に配することができる、又はガイド管２０の出口２３側に配することができる。他の例において、流体機械４１の数は１に限らず、２以上にできる。気体システム４０が発生させる気体の流れによって、ガイド管２０の入口２１側にいる虫が、出口２３側に吸い込まれ、チャンバー３１内への虫の移動が促進される。代替的及び／又は追加的に、流体機械４１は、ファンやブロア以外の流体機械（コンプレッサなど）を有することができる。また、追加的に、気体システム４０は、後述するように、吸引作用を提供するエジェクタを備えることができる。また、追加的に、液体システム３０は、貯留液を撹拌する機能を有することができる。
【００２５】
本実施形態において、液体システム３０内のチャンバー３１及び／又は槽３３には、給液経路３５から供給された液体が貯められることによって、捕獲領域５０の少なくとも一部が形成される。ガイド管２０及び気体システム４０を利用して、チャンバー３１内に送り込まれた虫は、捕獲領域５０の液体によって捕獲される。すなわち、ガイド管２０及び気体システム４０は、チャンバー３１内で形成された捕獲領域５０に虫が接触するように、捕獲領域５０に虫を向かわせる。捕獲領域５０に案内された虫は、液体に接触する。その結果、例えば、虫が少なくとも部分的（例えば羽根）に濡れ状態となり、虫の動きが抑制される（例えば、虫の活発な動きや飛翔が抑制される）。及び／又は、液体の粘度によって虫の少なくとも一部が液体に付着する又は液体に覆われる。及び／又は、液体表面との衝突による衝撃によって虫が損傷する。捕獲領域５０での液体との接触や衝突により、液体に虫が捕獲される。
【００２６】
このように、図１に示す捕虫装置１０において、ガイド管２０及び気体システム４０を利用して、液体システム３０のチャンバー３１内に虫が送り込まれる。チャンバー３１内に運ばれた虫は、給液経路３５から供給されてチャンバー３１及び／又は槽３３に貯められた液体で形成された捕獲領域５０に接触することによって液体に捕獲される。液体によって捕獲された虫は、排出経路３７を通って、液体とともに排出可能である。そのため、本実施形態の捕虫装置１０では、虫捕獲網やフィルターなどを利用せずに虫を捕獲することで、虫捕獲網やフィルターなどの交換や清掃を不要にできる、又はメンテナンスの頻度を低減できる。例えば、大量の虫を捕獲して処理しなければならない環境下においても、従来のファン式捕虫装置と比べて、連続して運転できる期間を長期化することが可能となる。すなわち、捕虫装置１０は、メンテナンス性に優れ、安定的に捕獲性能が維持される。
【００２７】
本発明の第２実施形態に係る捕虫装置について、図２を参照して説明する。図２は、捕虫装置１２の概略図である。図２において、図１の捕虫装置１０と共通する構成要素については、同じ符号を付し、その詳細な説明は省略又は簡略化する。
【００２８】
図２に示すように、捕虫装置１２は、図１の捕虫装置１０と同様に、ガイド管２０と、液体システム３０と、気体システム４０とを備える。
【００２９】
本実施形態において、液体システム３０は、給液経路３５から供給される液体が表面を流れる流体部材６０を備える。一例において、流体部材６０は、板状部材を有する。他の例において、流体部材６０は、チャネル構造や溝構造などの他の形状を有することができる。流体部材６０は、少なくとも部分的に、平滑な表面、凹凸表面、孔が設けられた表面、及び／又は網目表面等の、様々な形状の表面を有することができる、一例において、流体部材６０は、流路全体が水平方向に対して傾斜するように配される、又は、表面の少なくとも一部が水平方向に対して傾斜するように配される。追加的及び／又は代替的に、液体システム３０は、流体部材６０の表面の傾斜角度を変える機構を有することができる。一例において、ガイド管２０の出口２３は、流体部材６０の表面（流体部材６０上の液面）に面して配される。また、出口２３付近におけるガイド管２０の軸方向は、流体部材６０の表面（流体部材６０上の液面）と交差する。その交差角度は、実質的に直角又は直角以外の角度にできる。液体システム３０において、流体部材６０の表面に液体が供給される。一例において、流体部材６０の表面で液体が流れ続けるように、給液経路３５から液体が流体部材６０に供給される。他の例において、流体部材６０への液体の供給量が時間的に変化する。例えば、液体が間欠的に流体部材６０に供給される。あるいは、液体システム３０は、時間あたりの液体供給量が少ない第１モードと、時間あたりの液体供給量が多い第２モードとを有する。
【００３０】
本実施形態において、給液経路３５は、流体部材６０の表面全体又は表面の少なくとも一部に液体が流れるように、液体を供給する。流体部材６０の表面上に流れる液体によって捕獲領域５０（液層、液部、液面）の少なくとも一部が形成される。
【００３１】
本実施形態において、ガイド管２０は、気体システム４０によって推進された虫を、出口２３から流体部材６０の捕獲領域５０に向かわせる。一例において、ガイド管２０は、チャンバー３１内で水平方向に延びたまま、出口２３を水平方向に向けた形で形成されている。出口２３に案内された虫は、流体部材６０の表面上を流れる液体に接触する。流体部材６０の表面上の液体と接触した虫は、捕獲領域５０において液体によって捕獲される。
【００３２】
流体部材６０の表面上を流れた液体及び流体部材６０の表面上で虫を捕獲した液体は、流体部材６０の表面上からチャンバー３１及び／又は槽３３へと流れる。流体部材６０の表面上を流れた液体及び流体部材６０の表面上で虫を捕獲した液体は、排出経路３７から排出可能である。
【００３３】
このように、図２に示す捕虫装置１２によれば、ガイド管２０及び気体システム４０を利用して、液体システム３０のチャンバー３１内に虫が送り込まれる。チャンバー３１内に運ばれた虫は、流体部材６０の表面上の液体（捕獲領域５０）に接触する。捕獲領域５０での液体との接触や衝突により、液体に虫が捕獲される。液体によって捕獲された虫は、排出経路３７を通って、液体とともに排出可能である。また、本実施形態において、ガイド管２０の出口２３付近の部分は、曲げ部分を有することなく水平方向に向いた状態で形成されており、配管抵抗が比較的小さい。すなわち、気体システム４０で推進された気体の流れが比較的弱まりにくい。
【００３４】
本発明の第３実施形態に係る捕虫装置について、図３を参照して説明する。図３は、捕虫装置１３の概略図である。図３において、図１の捕虫装置１０と共通する構成要素については、同じ符号を付し、その詳細な説明は省略又は簡略化する。
【００３５】
図３に示すように、捕虫装置１３は、図１の捕虫装置１０と同様に、ガイド管２０と、液体システム３０と、気体システム４０とを備える。
【００３６】
本実施形態において、液体システム３０の給液経路３５は、チャンバー３１内に供給する液体をガイド管２０の出口２３付近に散液供給する機構（散液機構、シャワー機構）を有する。すなわち、給液経路３５によって、ガイド管２０の出口２３近傍の空間領域に液体が散布され、捕獲領域５０の少なくとも一部としての散液領域が形成される。散液領域の大きさは、適宜設定される。他の例において、給液経路３５は、チャンバー３１内のほぼ全体又は大部分に散液する機構を有することができる。また、チャンバー３１の下部に貯まった液体によって捕獲領域５０の別の一部が形成される。なお、チャンバー３１内に貯液用の槽（図１に示す槽３３）が設けられてもよい。
【００３７】
一例において、散液における液体の移動方向（散液方向、給液経路３５からの液体吐出方向）は、出口２３付近におけるガイド管２０の軸方向（気体排出方向）と交差する。その交差角度は、実質的に直角又は直角以外の角度にできる。他の例において、散液方向（給液経路３５からの液体吐出方向）は、出口２３付近におけるガイド管２０の軸方向（気体排出方向）と概ね平行にできる。散液用のノズル（ポート）は１でもよく２以上でもよい。散液方向は、１方向に限らず、２方向以上にできる。また、給液経路３５は、散液量を変える構成、及び／又は散液方向を変える構成を有してよい。また、給液経路３５は、チャンバー３１内への通常の液体供給と、ガイド管２０の出口２３及び／又はチャンバー３１の内部全体への液体の散液とを、切り替える構成を有してもよい。
【００３８】
本実施形態において、ガイド管２０は、気体システム４０によって推進された虫を、捕獲領域５０としての散液領域に向かわせる。チャンバー３１内に運ばれた虫の一部は、チャンバー３１に貯められた液体で形成された捕獲領域５０に接触することによって液体に捕獲される。虫の他の一部は、チャンバー３１の内部空間を動く液体に接触する。その結果、虫の少なくとも一部（例えば羽根）が濡れ状態となり、虫の動きが抑制される（例えば、虫の活発な動きや飛翔が抑制される）。及び／又は、液体の粘度によって虫の少なくとも一部が液体に付着する又は液体に覆われる。及び／又は、液体表面との衝突による衝撃によって虫が損傷する。弱まった虫及び／又は液体に覆われた虫は気流及び／又は重力により落下し、チャンバー３１の下部において液体に虫が捕獲される。また、その後に供給される給液経路３５からの散液の作用によってさらに他の虫が捕獲される。チャンバー３１の下部における、虫を捕獲した液体は、排出経路３７から排出可能である。
【００３９】
このように、図３に示す捕虫装置１３によれば、チャンバー３１下部の貯留領域の液体に加え、散液領域の液体を使って、虫が捕獲される。気体中を動く液体を使うことにより、ガイド管２０からの気体の排出速度が弱い場合でも、虫に液体をより確実に接触させることができる。また、捕獲領域５０を拡大することにより、虫の捕獲能力を高めることができる。
【００４０】
本発明の第４実施形態に係る捕虫装置について、図４を参照して説明する。図４は、捕虫装置１４の概略図である。図４において、図１の捕虫装置１０と共通する構成要素については、同じ符号を付し、その詳細な説明は省略又は簡略化する。
【００４１】
図４に示すように、捕虫装置１４は、図１の捕虫装置１０と同様に、ガイド管２０と、液体システム３０と、気体システム４０とを備える。
【００４２】
本実施形態において、ガイド管２０の出口２３がチャンバー３１内の液体中に配される。一例において、ガイド管２０における出口２３側の部分がチャンバー３１の下部に接続され、その接続部から水平方向に延在した端部に出口２３が設けられている。他の例において、ガイド管２０のチャンバー３１内での構造について様々な形態が適用可能である。ガイド管２０の出口２３についても、様々な形態が適用可能である。出口２３における開口は、１でもよく２以上でもよい。一例において、出口２３付近におけるガイド管２０の軸方向（気体排出方向）は水平方向と概ね平行にできる。他の例において、出口２３付近におけるガイド管２０の軸方向（気体排出方向）は水平方向と交差するようにできる。その交差角度は、実質的に直角又は直角以外の角度にできる。一例において、ガイド管２０の出口２３の全体が液中に配される。他の例において、ガイド管２０の出口２３の一部が液中に配される。また、ガイド管２０は、気体排出量を変える構成、及び／又は気体排出方向を変える構成を有してもよい。
【００４３】
本実施形態において、ガイド管２０は、気体システム４０によって推進された虫を、チャンバー３１の下部に貯められた液体で形成される捕獲領域５０（液部、液層、液面）に向かわせる。少なくとも一部が液中に配される出口２３から気体とともに虫が排出され、液体に虫が捕獲される。虫を捕獲した液体は、排出経路３７から排出可能である。
【００４４】
このように、図４に示す捕虫装置１４によれば、ガイド管２０の出口２３から出た虫がチャンバー３１内の液体に比較的容易に接触する。また、出口２３からの気体によってチャンバー３１内の液体に動きが生じる。液体の乱れ、撹拌、拍動等の液体の動きにより、虫に対する液体の接触が促進される。また、捕獲した虫の液中への混入が促進され、液面付近に虫が大量に溜まるのが抑制される。
【００４５】
本発明の第５実施形態に係る捕虫装置について、図５を参照して説明する。図５は、捕虫装置１５の概略図である。図５において、図１の捕虫装置１０と共通する構成要素については、同じ符号を付し、その詳細な説明は省略又は簡略化する。
【００４６】
図５に示すように、捕虫装置１５は、図１の捕虫装置１０と同様に、ガイド管２０と、液体システム３０と、気体システム４０とを備える。
【００４７】
本実施形態において、液体システム３０は、ミスト状の液体を噴霧可能な噴霧器６１を備える。一例において、噴霧器６１は、ガイド管２０の出口２３の付近（出口２３の近傍かつ出口２３が面する空間領域）に対して、ミスト状の液体を噴きつけるように構成される。すなわち、噴霧器６１によって、ガイド管２０の出口２３近傍の空間領域に液体が噴霧され、捕獲領域５０の少なくとも一部としてのミスト領域が形成される。ミスト領域の大きさは、適宜設定される。他の例において、噴霧器６１は、チャンバー３１内のほぼ全体又は大部分に噴霧する機構を有することができる。また、槽３３に貯められた液体（液部、液層、液面）によって、捕獲領域５０の別の一部が形成される。一例において、噴霧器６１で使用する液体は、給液経路３５で使用する液体と同じである。他の例において、噴霧器６１で使用する液体を、給液経路３５で使用する液体と異ならせることができる。例えば、噴霧器６１で使用する液体、及び給液経路３５で使用する液体の少なくとも１つを、添加物が付加された水や薬液（例えば、虫の活動を鈍らせる作用を有する物質を含む液体）など、水以外の液体にできる。また、ミストは、常温に限らず、比較的高温又は比較的低温に設定できる。
【００４８】
本実施形態において、ガイド管２０は、気体システム４０によって推進された虫を、捕獲領域５０としてのミスト領域に向かわせる。ガイド管２０からの虫は、ミスト状態の液体に接触する。その結果、虫の少なくとも一部（例えば羽根）が濡れ状態となり、虫の動きが抑制される（例えば、虫の活発な動きや飛翔が抑制される）。及び／又は、液体の粘度によって虫の少なくとも一部が液体に付着する又は液体に覆われる。活動が鈍った虫及び／又は液体に覆われた虫は気流及び／又は重力により落下し、チャンバー３１の下部において液体に虫が捕獲される。チャンバー３１の下部における、虫を捕獲した液体は、排出経路３７から排出可能である。
【００４９】
このように、図５に示す捕虫装置１５によれば、チャンバー３１下部の貯留領域の液体に加え、ミスト領域の液体を使って、虫が捕獲される。ミスト状態の液体を使うことにより、多数の虫のそれぞれに液体が接触する。また、ミストは、薬液や高温液体の効力を虫に伝えるのに有利である。
【００５０】
次に、本発明に係る捕虫装置を下水道処理システムに適用した実施形態について、図６を参照して説明する。図６は、捕虫装置１００の概略図である。図６において、図１の捕虫装置１０と共通する構成要素については、同じ符号を付し、その詳細な説明は省略又は簡略化する。
【００５１】
図６に示す実施形態において、捕虫装置１００は、下水道処理に使用される槽（例えば、汚泥が貯留される汚泥貯留槽など）２００に設置されている。
【００５２】
図６に示すように、本実施形態において、捕虫装置１００は、ガイド管（給気管、虫ガイド）２０と、液体システム３０と、気体システム４０とを備える。
【００５３】
本実施形態において、槽２００の上部に設けられた第１開口部２０１にガイド管２０の入口２１が接続されている。また、第１開口部２０１の近傍には、誘虫灯１２５（誘虫装置２５）が配置されている。槽２００の第１開口部２０１付近には誘虫灯１２５の光を槽２００の内部空間に導くための透光部（不図示）が設けられている。なお、槽２００内の虫に加え、槽周辺の虫をガイド管２０内に誘導するように構成してもよい。
【００５４】
本実施形態において、液体システム３０は、液体を少なくとも一時的に貯める捕集チャンバー（捕集用水槽）１３０を有する。捕集チャンバー１３０には、捕集チャンバー１３０内への液体の供給に用いられる給液管（給液経路３５）１３５と、捕集チャンバー１３０内に貯まった液体の排出に用いられる排液管（排出経路３７）１３７と、捕集チャンバー１３０内の気体の排出に用いられる排気管（排気経路３９）１３９とが取り付けられている。
【００５５】
本実施形態において、捕集チャンバー１３０は、壁面によって周囲と隔離された空間を形成する筐体構造を有し、給液管１３５からの液体が底部に貯まるように構成されている。捕集チャンバー１３０内の貯留液により捕獲領域５０（液部、液層、液面）の少なくとも一部が形成される。液源からの液体が給液管１３５を介して捕集チャンバー１３０に供給される。本実施形態において、給液管１３５からの液体は、主に水である。給液管１３５からの液体供給は、連続的又は間欠的にできる。
【００５６】
本実施形態において、排液管１３７は、一端が捕集チャンバー１３０の下部に接続され、他端が槽２００の上部に接続されている。捕集チャンバー１３０からの液体は、排液管１３７を介して、槽２００内に排出される。排液管１３７による排液は、連続的又は間欠的にできる。
【００５７】
本実施形態において、排気管１３９は、一端が捕集チャンバー１３０の上部に接続され、他端が槽２００の上部に接続されている。捕集チャンバー１３０からの気体は、排気管１３９を介して、槽２００内に排出される。排気管１３９による排気は、連続的又は間欠的にできる。
【００５８】
図７に示すように、本実施形態において、気体システム４０は、流体駆動部としての流体機械（例えば、ファン、ブロア、又はコンプレッサ）２４２と、吸引作用（アスピレーション作用）を提供するエジェクタ（エジェクタ構造）２４４とを有する。流体機械２４１は、エジェクタ２４４に対して駆動流を提供するように構成される。
【００５９】
本実施形態において、エジェクタ２４４は、ガイド管２０の一部を囲む管状部材２７０と、ガイド管２０に設けられた駆動ポート２７４とを有する。管状部材２７０は、ガイド管２０の軸方向に沿って延在する延在部を有する。ガイド管２０の上流側に位置する延在部の第１端部は、流体的に閉じられている。ガイド管２０の下流側に位置する延在部の第２端部は、駆動ポート２７４を介して、ガイド管２０の内部空間（案内路２２）と流体的につながっている。より具体的には、管状部材２７０の第２端部は、大径部と小径部と遷移部とを有し、小径部がガイド管２０に接続されている。遷移部は、大径部と小径部との間に配され、大径部から小径部に向かって径が徐々に小さくなるように構成される。ガイド管２０において、管状部材２７０との接続部の近傍に、管状部材２７０の内部空間２７２とガイド管２０の内部空間（案内路２２）とを流体的につなぐための駆動ポート２７４が設けられている。駆動ポート２７４の数は、１又は２以上にできる。本実施形態において、駆動ポート２７４の上流側と下流側とで（エジェクタ２４４の作動部の前後で）、ガイド管２０の流路断面積は概ね等しい。また、管状部材２７０の延在部において、流体機械２４１からの気体が供給される供給ポート２７６が設けられている。なお、エジェクタ構造は、吸引作用により、ガイド管２０内の気体を流動させることができればよく、図７の形態に限定されず、代替的に様々な形態が適用可能である。
【００６０】
流体機械２４１からの気体は、供給ポート２７６を介して管状部材２７０とガイド管２０との間の空間に流入する。管状部材２７０の延在部において、軸方向に沿って気体が流れる。駆動ポート２７４からガイド管２０の内部空間に勢いよく気体が流入する。この駆動流によってガイド管２０内の気体が吸引される。すなわち、管状部材２７０からガイド管２０内に流入した気体の流れにより、ガイド管２０の案内路２２に対して吸引作用が提供される。その結果、ガイド管２０内の気体が、ガイド管２０の上流側から下流側へと移動し、これに伴い、ガイド管２０内の虫が捕獲領域５０（図６）に向かって推進される。
【００６１】
本実施形態では、ガイド管２０内の流路上に障害物が少なく（流路断面積が大幅に減少するような閉塞部分が実質的に無い状態。実質的無閉塞状態）、ガイド管２０内を流れる虫がガイド管２０内の物体に付着したり物体上に堆積するのが抑制される。一方、ガイド管２０内の流路上に流体機械の部材（フィン等）が配される場合、虫が付着した部材の清掃や交換などのメンテナンス作業が頻繁に必要となる可能性がある。本実施形態では、エジェクタ２４４の作動部の前後でガイド管２０の流路断面積が概ね等しいことも、虫の付着・堆積防止に有利である。
【００６２】
図６に戻り、本実施形態において、液体システム３０内の捕集チャンバー１３０に液体が貯められることによって、捕獲領域５０の少なくとも一部が形成される。ガイド管２０及び気体システム４０を利用して、捕集チャンバー３１内に虫が送り込まれる。捕獲領域５０での液体との接触や衝突により、液体に虫が捕獲される。虫を捕獲した液体は、排液管１３７（排出経路３７）を介して槽２００内に排出可能である。
【００６３】
このように、図６に示す下水道処理システムでは、捕虫装置１００によって、槽２００内の蝶バエなどの虫が捕獲され、不活発な状態となるように虫が処理される。捕虫装置１００を用いた虫処理により、下水道処理システムにおける、フィルタ（例えば脱臭設備エアフィルタ）の詰まり等の、虫原因の不具合が大幅に軽減される、及び／又はメンテナンス性が改善される。
【００６４】
以上、本発明の実施形態を説明したが、本発明は上記の実施形態に限定されることはない。上記説明において使用した数値は一例であって、本発明はこれに限定されない。本発明の趣旨を逸脱しない範囲で、構成の付加、省略、置換、およびその他の変更が可能である。
【符号の説明】
【００６５】
１０、１２、１３、１４、１５、１００：捕虫装置
２０：ガイド管
３０：液体システム
４０：気体システム
４１：流体機械
５０：捕獲領域
２００：槽
２４４：エジェクタ
【図１】
0006561760.tif 000002
【図２】
0006561760.tif 000003
【図３】
0006561760.tif 000004
【図４】
0006561760.tif 000005
【図５】
0006561760.tif 000006
【図６】
0006561760.tif 000007
【図７】
0006561760.tif 000008